(57)【要約】照明または観察方向に応じて変化する光学的効果をもたらすストリップ形セキュリティー素子である。この光学的効果は、明確に区分され、相互に離間した１つ以上の表面領域にのみ現われ、視覚的可変表面領域の外部は透明または基体の外観に調和している。
2005534521.tif 000002
【特許請求の範囲】
【請求項１】
基体、特に銀行紙幣、小切手、株券、クレジット・カード等の有価証書、あるいは身分証明書または通行証等の表面に貼付可能であり、前記基体の真正性または品質を保証するための転写フィルム式、特にホット・スタンピング・フィルム式ストリップ形セキュリティー素子であって、間に照明または視角に応じて変化する光学的効果をもたらす少なくとも１つの光学効果層および/または光学効果構造体を備えた少なくとも２つのプラスチック層またはラッカー層を有して成るセキュリティー素子において、
前記光学効果層（１３）および/または光学効果構造体（１５）が、明確に区分され、相互に離間した少なくとも２つの視覚的可変表面領域（１１、１２、１２’）に配され、
前記ストリップ（７、７’）の視覚的可変表面領域の外部が、透明、および/または照明あるいは視角に応じた光学的変化を示さず、および/または使用に際し前記ストリップ（７、７’）が貼付される基体（１、１’）の表面（２、２’）の外観に調和していることを特徴とするセキュリティー素子。
【請求項２】
前記光学効果層が、照明または視角の変化に応じて色彩の変化をもたらす干渉層配列（１３）から成ることを特徴とする請求項１記載のセキュリティー素子。
【請求項３】
前記干渉層配列（１３）が、一部が透明である少なくとも１つの吸収層および少なくとも１つの透明誘電体スペーサー層を有して成ることを特徴とする請求項２記載のセキュリティー素子。
【請求項４】
前記光学効果構造体（１５）が、光の回折効果をもたらす構造体、特に格子構造体であることを特徴とする請求項１〜３いずれか１項記載のセキュリティー素子。
【請求項５】
観察方向（１４）から見て、前記光学効果層（１３）または光学効果構造体（１５）の前方に配されている前記プラスチック層またはラッカー層（９）が透明であり、反射強化層が前記光学効果層（１３）または光学効果構造体（１５）の後方に配されていることを特徴とする請求項１〜４いずれか１項記載のセキュリティー素子。
【請求項６】
前記反射強化層が反射金属層であることを特徴とする請求項５記載のセキュリティー素子。
【請求項７】
前記反射強化層が、観察方向（１４）から見て前方に配されている層より屈折率が著しく異なる、好ましくは少なくとも０．２異なる透明プラスチック層またはラッカー層であることを特徴とする請求項５記載のセキュリティー素子。
【請求項８】
前記ストリップ（７、７’）の視覚的可変表面領域（１１、１２、１２）の外部に模様（１８）が施されていることを特徴とする請求項１〜７いずれか１項記載のセキュリティー素子。
【請求項９】
前記ストリップ（７、７’）の前記模様（１８）が、該ストリップ（７、７’）が貼付されている基体（１’）の表面（２’）の模様に一致していることを特徴とする請求項８記載のセキュリティー素子。
【請求項１０】
前記模様（１８）が２つのプラスチック層またはラッカー層（９、１０）間にも施されていることを特徴とする請求項８または９記載のセキュリティー素子。
【請求項１１】
前記模様（１８）が印刷によって施されていることを特徴とする請求項８〜１０いずれか１項記載のセキュリティー素子。
【請求項１２】
前記セキュリティー素子（６’）を成す前記ストリップ（７’）が前記基体（１’）に貼付された後に、前記模様（１８）が施されることを特徴とする請求項８〜１１いずれか１項記載のセキュリティー素子。
【請求項１３】
前記模様（１８）が、前記ストリップ（７’）および該ストリップ（７’）を担持している基体（１’）の表面（２’）に同時に施され、前記ストリップ（７’）および前記基体（１’）の表面（２）に連続して延び、前記ストリップ（７’）の少なくとも１つの縁部（８’）において整合していることを特徴とする請求項８、９、１１、または１２記載のセキュリティー素子。
【請求項１４】
前記視覚的可変表面領域（１１、１２）が、例えば、多角形のような簡単な幾何学的形状を成していることを特徴とする請求項１〜１３いずれか１項記載のセキュリティー素子。
【請求項１５】
少なくとも２つの前記視覚的可変表面領域（１１、１２、１２’）が、異なる幾何学的形状を成していることを特徴とする請求項１〜１４いずれか１項記載のセキュリティー素子。
【請求項１６】
少なくとも１つの前記視覚的可変表面領域（１２’）が、１つの英数字（Ｖ、Ａ、Ｌ、Ｉ、Ｄ）を表わしていることを特徴とする請求項１〜１５いずれか１項記載のセキュリティー素子。
【請求項１７】
全体で１つの概念（ＶＡＬＩＤ）を構成する、それぞれ英数字を示す複数の前記視覚的可変表面領域（１２’）を有して成ることを特徴とする請求項１５または１６記載のセキュリティー素子。
【請求項１８】
請求項１〜１７いずれか１項記載のストリップ形セキュリティー素子（６、６’）を有して成る有価証書であって、前記セキュリティー素子（６、６’）の前記視覚的可変表面領域（１１、１２、１２’）および/または前記模様（１８）が、表面（２、２’）の印刷または別の構成要素（３、４、５）に整合させて貼付されていることを特徴とする有価証書。
【発明の詳細な説明】
【技術分野】
【０００１】
本発明は、基体、特に銀行紙幣、小切手、株券、クレジット・カード等の有価証書、あるいは身分証明書または通行証等の表面に貼付可能であり、前記基体の真正性または品質を保証するための転写フィルム式、特にホット・スタンピング・フィルム式ストリップ形セキュリティー素子に関するものである。前記素子は少なくとも２つのプラスチック層またはラッカー層を有して成り、その層間に照明または視角に応じて変化する光学的効果をもたらす少なくとも１つの光学効果層および/または光学効果構造体を備えている。
【背景技術】
【０００２】
前記のようなセキュリティー素子は銀行紙幣のみならず、品質または真正性を保証する必要があるその他のドキュメントおよび物品に益々多く使用されている。例えば、小額ユーロ紙幣（５、１０、および２０ユーロ）は、それぞれに応じたストリップ形セキュリティー素子を備えている。前記素子の光学効果構造体により、照明または視角に応じて素子の外観が変わる。例えば、“ＥＵＲＯ”という表示が別の表示に変化する。ユーロ紙幣に貼付されているストリップ形セキュリティー素子は、適切なマスターによって内部に構造体がエンボス加工され、一般に熱によって変形可能な少なくとも１つの保護ラッカー層を備えて成るホット・スタンピング・フィルムである。通常、保護ラッカー層は透明である。光を照射して前記構造体の光学的効果を観察すると、一般にこの構造体はスタンピング・フィルム製造工程において形成された光の反射を強化する層、例えば、反射金属層または保護ラッカー層に応じた異なる屈折率を有する層に覆われていることが分かる。また、前記保護ラッカー層および反射強化層の他に、少なくとも１つの別のラッカー層、例えば、ホット・スタンピング・フィルムを基体に固定するための接着層が配されている。粘着性を有するラッカー層が用いられるが、前記構造体を備えた層を貼付する前に基体に接着剤を塗布する場合には、別に接着層を設ける必要はない。前記のように各種の選択肢があるため、本発明において“プラスチック層またはラッカー層”は、厳密な意味でのプラスチックまたはラッカーの特性を有する層のみならず、例えば、フィルム、接着層等も含むものとする。
【０００３】
照明または視角に応じて変化する光学的効果は多くの方法によって得ることができる。例えば、特許文献１に記載されているように、適切な回折構造体による動的効果が知られている。別の方法として、すべてのユーロ紙幣のように、照明または視角に応じて異なる像が現れるよう光学効果構造体をデザインすることができる。前記効果をもたらす方法の詳細については、例えば、特許文献２に記載されている。また、ホログラフィック手段によって適切に変化する光学的効果が得られることも知られている。この点において、最近では、一般にホログラフィック効果は適切に構成された空間構造体、即ち２つのプラスチック層またはラッカー層間に配された分離層によっても得られている。
【０００４】
照明または視角に応じて変化する光学的効果を得る更に別の方法が、例えば、特許文献３に記載されている。具体的には、特定の干渉層配列または干渉顔料を含む特定の印刷用インクによって特に色彩の変化が得られる。
【０００５】
前記ストリップ形セキュリティー素子の他に、幾つかの区分領域から成るセキュリティー素子が多くの分野において好んで用いられている。基体の表面を構成する図案の一部としてセキュリティー素子を組み込むことが目的である場合、特に好んで利用される。また、光学的可変セキュリティー素子を互いに接近した所定の区分領域にのみ配するデザインとすることにより、高価な印象を与えることができる。この点において、空間的に分割された表面領域から成る光学的可変セキュリティー素子を備えた高額ユーロ紙幣（５０、１００、２００および５００ユーロ）を挙げることができる。
【０００６】
一般に、前記のようなセキュリティー素子は、プラスチック・フィルムを担体ウェブとしてコーティングすることにより製造される。次いで、前記ウェブがストリップ状に切断され、それを用いて適切にセキュリティー素子が基体に転写される。
【０００７】
セキュリティー素子がストリップ形状を成している場合には転写処理に問題はない。一般に、適切な幅を有する加圧ローラによって転写することができる。この点において、セキュリティー素子を備えたフィルム・ウェブは、基体に貼付される前に所望のストリップ形セキュリティー素子の幅に対応する幅をもってストリップ状に切断されている。
【０００８】
また、基体の特定の表面領域のみをセキュリティー素子によって覆う場合には、ストリップ状のフィルムを処理する必要がある。その場合、それぞれの表面領域に対応するストリップ状のフィルム・ウェブを貼付するための更に別の手段が必要になる。ホット・スタンピング・フィルムによって形成されたセキュリティー素子を使用する場合、一方において、圧力手段、例えば、それぞれが転写領域に対応する形状を成す高圧素子を備えた加圧ローラが用いられることがある。当然のことながら、このような加圧ローラは、表面が平坦なローラと比較して、製造コストが大幅に高くなる。
【０００９】
このような理由から、接着層のないスタンピング・フィルムが特許文献４によって提案されている。この場合、セキュリティー素子をホット・スタンピング・フィルムから基体に転写する前に、セキュリティー素子を貼付する領域に接着剤を塗布することができる。これにより、実際の転写において平坦なスタンピング・ローラまたはスタンピング・ホイールが使用できるという効果が得られる。しかし、前段の印刷において基体の所望領域に接着剤を塗布する必要があり、そのための作業ステップが増えると共に、適切な印刷用紙を使用する必要がある。
【００１０】
また、セキュリティー素子を備え、担体フィルムから分離可能なスタンピング・フィルムから成り、個別に分離された表面領域に再分割可能な層系列が特許文献５によって提案されている。この場合、前記領域にのみ接着層を設けることができる。前記のようなホット・スタンピング・フィルムを用いてセキュリティー素子を所定の基体表面領域に貼付する場合にも、平坦なスタンピング・ローラを使用することができる。しかし、前記のようなホット・スタンピング・フィルムの製造は比較的複雑である。
【００１１】
更に、セキュリティー素子を基体の区分表面領域に貼付する周知の方法はすべて共通の問題に悩まされている。一般に、個々のセキュリティー素子が貼付される表面領域は、例えば、多数の紙幣が印刷されているシートのように、基体上において互いに比較的大きな間隔を設けて配されている。帯からセキュリティー素子を転写する場合、比較的大量の無駄が生じるか、またはセキュリティー素子を有する同一の帯をそれぞれ適切な移動位置を保ちながら複数回基体上を通過させ、２回目または３回目において、適切に構成された材料または別の方法で光学的変化をもたらすよう構成された材料が貼付された転写領域間の空き領域に更に別のセキュリティー素子表面領域を形成する特別な手段が必要になる。前記のような装置が特許文献６に記載されている。
【００１２】
窓を備えた有価証書が特許文献７に開示されている。前記窓は証書の幅全体に延び、表面に固定されているストリップ状の積層フィルムに覆われている。前記ストリップ状の積層フィルムは担体フィルムを有し、その上に２つのラッカー層が積層され、２つの明確に区分された表面領域の前記層間に光学効果構造体が配されている。前記構成において、１つの表面領域が窓を有し、別の表面領域が有価証書の基体面に配されている。ストリップを成す積層フィルムは、適切な高圧力加えることにより基体表面に凹状に配される。周知の有価証書の場合、積層フィルムを使用することが絶対条件である。その理由は、積層フィルムのみが安定的且つ確実に前記窓を覆うことができると共に、ストリップを貼付する際の高圧力によって損傷を受けることがないからである。しかし、前記窓が覆われないとすれば、特に、前記窪みにより一般に最も好ましくない形で基体に変更が加えられるため、当業者は前記ストリップを使用したいとは思わない。
【特許文献１】欧州特許第０１０５０９９号明細書
【特許文献２】欧州特許第０３７５８３３号明細書
【特許文献３】国際公開第０１/０３８４５号パンフレット
【特許文献４】独国特許出願公開第３５１１１４６号明細書
【特許文献５】独国特許出願公開第１９８１３３１４号明細書
【特許文献６】独国特許出願公開第４２４２１０５号明細書
【特許文献７】独国特許出願公開第４３３４８４７号明細書
【特許文献８】国際公開第０１/０３９４５号パンフレット
【発明の開示】
【発明が解決しようとする課題】
【００１３】
従って、本発明の課題は、前記のような問題を踏まえ、製造が容易で貼付に適すると共に、優れた特性および利点を有するセキュリティー素子および所定の表面領域に限定されるセキュリティー素子を提供することである。
【課題を解決するための手段】
【００１４】
本発明によれば、前記課題を達成するため、明確に区分され、相互に離間した少なくとも２つの視覚的可変表面領域に光学効果層および/または光学効果構造体を配した前記一般的なストリップ形状を成すストリップ形セキュリティー素子が提供される。前記ストリップの視覚的可変表面領域の外部は、透明、および/または照明あるいは視角による光学的変化を示さず、および/または使用に際し前記ストリップが貼付される基体表面の外観に調和している。
【００１５】
従って、本発明は、一方において、転写フィルム、特にホット・スタンピング・フィルムによってストリップを貼付する利点を保持することを考慮し、他方において、ストリップ形素子ではあるが、表面領域が区分された外観を呈するセキュリティー素子を考慮したものである。そのため、本発明によれば、視覚的に変化する表面領域にのみにプラスチックまたはラッカー層が貼付される転写フィルムにおける従来の方法に反し、ストリップ状に貼付される。しかし、この点において、照明または視角に応じて変化する望ましい視覚効果は、区分表面領域によってのみ実際にもたらされる。このため、セキュリティー素子の構成において、光学効果構造体または光学効果層、あるいは場合により、光学効果構造体と光学効果層とを組み合せたものが視覚的可変表面領域にのみに配され、セキュリティー素子ストリップの別の領域は基体表面とまったく区別できないか、または殆んど区別できないようになされる。このことは、例えば、セキュリティー素子を構成するストリップの視覚的可変表面領域の外部を透明にし、基体表面が透けて見えるようにすることにより達成される。別の方法として、ストリップの視覚的可変表面領域の外部を光学的に基体表面に調和させることができる。しかし、場合により、ストリップの視覚的可変表面領域の外部の外観を照明または視角に応じて変化しないようにするのみで、“規定表面領域のみにおける視覚的変化”による望ましい効果を十分得ることができる。このことは、例えば、粗面化、無光沢化等により達成することができる。
【００１６】
本発明のセキュリティー素子を使用する場合、光学的可変構造体を全長にわたり備えているストリップ形セキュリティー素子を貼付する周知の方法を用いて貼付することができる。とはいえ、この方法により、セキュリティー素子を所定の表面領域にのみ貼付する場合には、周知の特別な予防措置を講じない限り、または問題が伴わない限り、セキュリティー素子が貼付された個体は元の外観に略一致する外観を得ることはできない。特に、ストリップを貼付する場合、対応する可変表面領域を意図する場所に正確に配するよう注意する必要がある。即ち、例えば、基体の印刷と整合させる必要がある。積層フィルム・ストリップと比較し、転写フィルム式ストリップの場合には、特に貼付後に基体に残っているラッカー層またはプラスチック層の厚さを薄くすることができ、比較的低い圧力を用いることができるため、基体が損傷を受けることはない。
【００１７】
原則として、本発明のセキュリティー素子は、照明または視角に応じて変化する光学的効果をもたらす周知の方法のすべてに関係している。
【００１８】
例えば、本明細書において、照明または視角の変化により、色彩が変化する光学効果層が（多数の薄層から成る）干渉層配列によって形成される。前記干渉層配列は、一部が透明である少なくとも１つの吸収層および少なくとも１つの透明誘電体スペーサー層を有していることが好ましい。前記のような干渉層配列は、例えば、特許文献８に記載されている。
【００１９】
また、前記光学効果構造体が、光の回折効果をもたらす構造体、特に格子構造体を成すのもであってよいことは当然である。既に述べたように、前記のような構造体は特許文献１および特許文献２によって知られている。
【００２０】
光学的に活性化されるセキュリティー素子は、通常、基体に貼付された後、光を照射することによって観察される。この点において、観察方向から見て光学効果層または光学効果構造体の前方に配されるプラスチック層またはラッカー層が透明であり、反射強化層が光学効果層または光学効果構造体の後方に配されていることが好ましい。
【００２１】
一般に、前記反射強化層は反射金属層である。
【００２２】
しかし、特定の用途においては、前記反射強化層は、観察方向から見て前方に配されている層より屈折率が著しく、好ましくは少なくとも０．２、異なるそれ自体が周知の方法によって形成された透明プラスチック層またはラッカー層であることが望ましい。前記のような構成は、例えば、本発明のセキュリティー素子を、例えば、画像または写真、英数字等、すべての情報項目がセキュリティー素子の下部に配される身分証明書等に用いる場合に採用される。
【００２３】
ストリップの視覚的可変表面領域の外部に模様が施されている場合、好ましくはその模様が、ストリップが貼付される基体表面の模様に一致する場合、本発明によるストリップ形セキュリティー素子を目立たないように貼付することができる。前記模様が２つのプラスチック層またはラッカー層間にも施されている場合には、特に磨耗耐性が強化されセキュリティー素子の耐久性が強化される。
【００２４】
前記ストリップの視覚的可変表面領域の外部は、例えば、粗面化等、各種方法によって模様を施すことができる。しかし、印刷によって模様が施されることが特に望ましい。この場合、セキュリティー素子を構成するストリップを貼付した後に模様を施すと、ストリップ上の模様と基体上の模様とを特によく一致させることができる。前記ストリップおよびストリップを担持している基体表面に同時に模様を施すことが好ましい。この場合、前記模様はストリップおよび基体表面に連続して延び、ストリップの少なくとも１つの縁部において整合している。このようにストリップに模様を刷り重ねることにより、ストリップ表面の外観と基体表面の外観とがうまく調和するばかりでなく、既存のストリップを別のストリップに置換することが事実上不可能となるため、更なる偽造防止手段が得られる。この点において、いずれにしても、基体に貼付した後、セキュリティー素子のラッカーまたはプラスチックの薄層を置換することは困難である。
【００２５】
視覚的可変表面領域が、例えば、多角形のような簡単な幾何学的形状を成している場合には、簡単に検知できる防御手段が得られる。しかし、前記表面領域は別の簡単な幾何学的形状、例えば、記憶し易い図形等にすることもできる。
【００２６】
この点において、前記少なくとも２つの視覚的可変表面領域が異なる幾何学形状を成し、特定の光学的印象を与えるようにすることが好ましい。
【００２７】
少なくとも１つの視覚的可変表面領域が英数字であれば、一般の人にとって特に記憶し易い。この点において、本発明が提供するように、複数の視覚的可変表面領域が英数字を成し、全体で１つの概念を構成するようにすれば、より記憶し易くなると共に、セキュリティー素子の機能が向上する。例えば、紙幣の額面金額、有効性表示（例えば、“ＶＡＬＩＤ”という表示）、あるいは有価証書の発行者名等を表示することができる。
【００２８】
セキュリティー素子が転写フィルム式、特にホット・スタンピング・フィルムであるため、基体に貼付することが非常に簡単である。この点において、転写フィルム、特にホット・スタンピング・フィルムは、セキュリティー素子が層配列として担体上に形成され、その層配列が圧力および/または熱によって基体上に転写され基体に貼付された後、前記担体が除去されるという特徴を有している。
【００２９】
最後に、本発明の主題は、本発明によってデザインされたストリップ形セキュリティー素子を有して成る有価証書である。前記セキュリティー素子は、視覚的可変表面領域および/または模様が有価証書表面の印刷または別の構成要素に整合させて貼付される。
【発明を実施するための最良の形態】
【００３０】
以下、添付図面を参照しながら実施の形態例を通して本発明を詳細に説明する。
【００３１】
図１のクレジット・カードは、それ自体は周知の方法で作製された担体１を有している。担体１は、例えば、適切な厚さを有するプラスチック片によって形成されている。担体１の表面全体にクレジット・カードの発行者を示す装飾模様を形成することができる。また、担体１の表面に、クレジット・カードの所有者に関する２つの情報、例えば、所有者名３および所有者の住所４を担持している。前記情報は、例えば、印刷または担体１にエンボス加工する等、クレジット・カード等における周知の方法によって形成することができる。クレジット・カード表面２の数字５についても同様の方法で形成することができる。
【００３２】
クレジット・カードの偽造を可能な限り防止するため、ストリップ７を成すセキュリティー素子６が表面に箔押しまたはエンボス加工されている。図１において、ストリップ７の縁部８が破線で示してある。図１の実施の形態において、セキュリティー・ストリップ６はホット・スタンピング・フィルムの転写層配列によって形成される。図３および図４が示すように、転写層配列には少なくとも保護ラッカー層９および接着層１０が含まれている。
【００３３】
周知のように、ホット・スタンピング・フィルムは、一般に担体フィルム、およびその上に配された１つ以上のプラスチック層、ラッカー層、または接着層から成る転写層配列によって構成されている。処理手順において、前記ホット・スタンピング・フィルムは、次に担体フィルムから見て外側にある接着層を下にして基体に配され、熱または場合により圧力を加えることにより接着剤が軟化され転写層配列が基体に接着される。一般に、担体フィルムの剥離を容易にするため、転写層配列と担体フィルムとの間に解放層が配されている。前記解放層は一般にワックスに似た層であり、この層も接着剤を軟化させるための熱によって軟化することにより、担体フィルムが転写層配列から分離することができる。
【００３４】
図１のセキュリティー素子６の特徴は、照明または視角に応じて変化する光学的効果をもたらす、明確に区分され互いに独立した２つの表面領域１１および１２を有していることである。
【００３５】
図示の実施の形態において、表面領域１１は複数の薄層から成る干渉層配列１３を備えている。前記複数の薄層における個々の層は、図が複雑になるのを避けるため、図３には示してない。適切な干渉層配列によって得られる光学的効果は、照明または視角の変化による色彩の変化である。前記色彩の変化は、個々の層の層厚および観察照明の波長に依存する。適切な干渉層配列の詳細については特許文献８を参照されたい。
【００３６】
図１および図３が示すように、図示の実施の形態において、観察方向１４から見て干渉層配列１３の後方に、カード所有者名の“Ｍ”という文字の全体および“Ｕ”という文字の一部が配されている。図３において、前記文字が印刷層２３として示してある。図示の実施の形態において、印刷層２３を名前の一部として視認できるようにするため、干渉層配列全体が透明である。この点において、色彩変化効果を向上させる透明反射強化コーティングを干渉層配列１３のカードの担体１に対向する側に施すことができる。
【００３７】
図１に示すカードの表面領域１２は、視角および照明に応じて異なる効果をもたらす別の素子を備えている。具体的には、光学回折効果をもたらす構造体１５、好ましくは格子構造体またはホログラムを備えている。図１は、表面領域１２の光学回折効果をもたらす構造体１５が２つのサブ領域１６および１７を有していることを示している。前記２つのサブ領域１６および１７の格子パラメータ（格子周波数、方位角、エッジ勾配等）が互いに相違している。例えば、図１に示すように、サブ領域１６および１７の回折格子の方位角のみが異なっている場合（図示の実施の形態においては９０°）、知覚可能な顕著な光学的効果が既に得られる。具体的には、カードの幅が広い側から見ると、例えば、方形（領域１７）のみが見え、カードの幅が狭い側から見ると、即ち、カードを９０°回転させると、前記方形を囲んでいる領域１６のみが見える。表面領域１２の光学回折効果をもたらす構造体は、前記より更に複雑な効果をもたらすことができることは当然であり、そのような効果は、例えば、特許文献１および特許文献２に記載されている。
【００３８】
図３は表面領域１１の干渉層配列１３および表面領域１２の光学回折効果をもたらす構造体１５が、それぞれ２つの層間に配されていることを示している。図示の実施の形態において、前記２つの層は、具体的には保護ラッカー層９および接着層１０であり、前記の構成は、特に表面領域１１および１２の改竄を防止する上において望ましい。
【００３９】
本発明のセキュリティー素子６の本質的特性は、表面領域１１および１２のみがそれぞれ照明または観察角に応じた光学的変化効果をもたらし、ストリップ７の別の領域がカードまたは別の基体表面２と区別できないことである。
【００４０】
図１、３および４に示す実施の形態において、前記のことは簡単な方法によって得られる。即ち、２つの層９および１０がそれぞれ無色明澄な透明性を有しているため、担体１の表面２に貼付された後、カードの表面２の構成のみが観察者に見えるのみで、表面領域１１および１２の外部が光学的にまったく見えなくなる。この点において、表面２のストリップ７が２つの層９および１０のみから成っていることが、更に視認性を低下させている。
【００４１】
ストリップ７の表面領域外部の表面を“隠蔽”する別の方法があることは当然である。ストリップ７の視覚的可変表面領域１１および１２の外部を照明または視角に応じて光学的に変化しないようにするのみで十分な場合が多い。このことは、例えば、ストリップを無光沢化することによって達成できる。しかし、前記隠蔽効果をもたらす特に望ましい方法は、ストリップ７の視覚的可変表面領域１１および１２の外部を、基体、例えば、カードの表面２の外観に調和させることである。
【００４２】
前記のような実施の形態を図２に示す。
【００４３】
この場合、セキュリティー素子６’がストリップ７’によって形成されている。ストリップ７’の縁部８’が破線で示してある。
【００４４】
図２の実施の形態において、ストリップ７’が、例えば、光学回折効果をもたらす格子構造体によって形成された５つの表面領域１２’を備えている。前記５つの表面領域１２’は、標章等のように空間的に比較的近接して配され、輪郭によってそれぞれ文字“Ｖ”，“Ａ”，“Ｌ”，“Ｉ”および“Ｄ”を表している。従って、表面領域１２’の光学回折効果をもたらす構造体が観察者に見えるときには、“ＶＡＬＩＤ”という単語が形成される。
【００４５】
図２に示す実施の形態において、ストリップ７’は、担体１’、 例えば、小切手様式等の模様に対応する模様１８を担持していることにより、担体１’の表面２’に調和している。本実施の形態においては、前記模様は組紐飾りのようなループ模様である。基本的に、セキュリティー素子６’を成すストリップ７’を正確に整合させて担体１’ の表面２’に貼付することができるため、ストリップ７’を製造する際に、予め表面領域１２’の外部に模様を施すことができる。前記模様は、例えば、印刷によって施すことができる。この場合、セキュリティー上の理由から、印刷層を２つのプラスチック層またはラッカー層（図３の９または１０）間にも配することが好ましい。
【００４６】
しかし、セキュリティー素子６’を成すストリップ７’を貼付した後に、担体１’を成す有価証書等に印刷を施すことにより、ストリップ７’の可変表面領域１２’の外部を特によく整合させることができる。この場合、ストリップ７’および担体１’の表面２’の両方を明らかに覆い、光学的可変表面領域１２’を覆わないようにして印刷イメージが配される。前記印刷イメージが、少なくとも１つの縁部８’において整合していることが好ましい。 
これまで説明してきたように、本発明のセキュリティー素子を使用することにより、従来、光学的可変素子を基体の空間的に区分された領域にのみ配することによってのみ得られていた効果が得られる。更に、転写フィルム式ストリップの貼付におけるすべての利点を利用することができる。特に、基体への接着性に優れていると共に、セキュリティー素子の貼付が簡単である分、作業スピードが速まる。
【図面の簡単な説明】
【００４７】
【図１】本発明によるセキュリティー素子を有して成るクレジット・カードの概略図。
【図２】本発明によるセキュリティー素子を有して成る、例えば、小切手、株券等の有価証書を示す図。
【図３】図１のＩＩＩ−ＩＩＩ線断面図。（個々の層の寸法および層厚は実寸と異なり、層配列の各々の層は簡略表示である。）
【図４】図１のＩＶ−ＩＶ線断面図。（個々の層の寸法および層厚は実寸と異なり、層配列の各々の層は簡略表示である。）
【符号の説明】
【００４８】
１、１’              基体
２、２’              表面
３、４，５            表面の構成要素
６、６’              セキュリティー素子
７、７’              ストリップ
８、８’              ストリップ縁部
９、１０              プラスチックまたはラッカー層    
１１、１２、１２’    視覚的可変表面領域
１３                  光学効果層
１４                  観察方向
１５                  光学効果構造体
１６、１７            サブ領域
２３                  印刷層
【図１】
2005534521.tif 000003
【図２】
2005534521.tif 000004
【図３】
2005534521.tif 000005
【図４】
2005534521.tif 000006
【国際調査報告】
2005534521.tif 000007
2005534521.tif 000008
2005534521.tif 000009
2005534521.tif 000010
2005534521.tif 000011
2005534521.tif 000012